(57)【特許請求の範囲】
【請求項１】
本体とカフ帯が一体に構成された血圧計において、
本体の下面にノズル状エア口を突設し、このノズル状エア口にカフ帯のエア接続口を接続するとともに、前記ノズル状エア口の内側に圧力センサのステムを挿設したことを特徴とする血圧計。
【請求項２】
前記ノズル状エア口は、前記本体のケースに一体形成したことを特徴とする請求項１記載の血圧計。
【請求項３】
前記ノズル状エア口は、前記本体のケースと別部材で構成したことを特徴とする請求項１記載の血圧計。
【請求項４】
前記圧力センサのステム部と前記ノズル状エア口との間に、弾性保持部材を設けたことを特徴とする請求項１、請求項２又は請求項３記載の血圧計。
【発明の詳細な説明】
【０００１】
【発明の属する技術分野】
この発明は、本体とカフ帯が一体に構成された血圧計に関する。
【０００２】
【従来の技術】
血圧計には、例えば、図４に示すように、本体１とカフ帯２が一体に構成されるものがある。この種の血圧計では、圧力センサ３を本体１のケース１ａ内に設けており、さらに、この圧力センサ３にカフ帯２のゴム袋４のエアを導入する機構を備えている。図５は、従来の血圧計のエア導入機構の拡大断面図である。この血圧計では、回路基板５上に圧力センサ３を半田付けにより実装し、一方、本体１のケース１ａに穴６を設け、この穴６からカフ帯２のカフエア接続口７をケース１ａ内に挿入し、このカフエア接続口７を、ノズル８、エアチューブ９を介して、圧力センサ３に接続している。
【０００３】
図６は、従来の他の血圧計のエア導入機構の拡大断面図であり、この血圧計では、ケース１ａの穴６より挿入したカフエア接続口７に、回路基板５上に実装された圧力センサ３を、直に差し込み接続している。
【０００４】
【発明が解決しようとする課題】
上記した従来の血圧計の中、図５に示すものは、エアチューブ等の配管スペースが必要であり、小型化を図ることに妨げとなる。また、エアチューブ及びノズルと必要な部品点数が多くなり、組立工数、部品代がかかり、コスト高となる。また、図６に示すものは、圧力センサステムにカフからの力が直接かかることにより、圧力センサの半田付け部の剥がれが生じるおそれがあり、信頼性及び耐久性を低下させる。しかも、圧力センサの半田付け部の剥がれるおそれがあることにより、半田付けパターンを小さくすることがあまりできず、小型化を図ることができない、という問題があった。
【０００５】
この発明は、上記問題点に着目してなされたものであって、小型化を実現し、かつ信頼性の高い、一体型の血圧計を提供することを目的としている。
【０００６】
【課題を解決するための手段】
この発明の血圧計は、本体とカフ帯が一体に構成されたものにおいて、本体の下面にノズル状エア口を突設し、このノズル状エア口にカフ帯のエア接続口を接続するとともに、前記ノズル状エア口の内側に圧力センサのステムを挿設している。
【０００７】
この血圧計では、カフ帯のエア接続口が、本体下面のノズル状エア口に接続されており、このノズル状エア口の内側に圧力センサのステムが挿設されているので、カフからの力が直接圧力センサのステムに加わることがない。したがって、圧力センサの半田付け部が剥がれにくい。
【０００８】
【発明の実施の形態】
以下、実施の形態により、この発明をさらに詳細に説明する。図１は、この発明の一実施形態一体型の血圧計の一部切欠きの全体外観斜視図である。この血圧計は、本体１１と、腕、手首等の血圧計測定部位を圧迫し、阻血するカフ帯１２とが一体となるように構成されている。
【０００９】
カフ帯１２は、カフ帯体を形成する外側シート１３と、内側シート１４の間に、ゴム状の弾性伸縮自在な空気袋１５を内装配備し、空気袋１５と外側シート１３との間に、側面視、特殊な湾曲形状のカーラ１６を配備して構成している。また、外側シート１３の外面適所と内側シートの内面適所には、互いに係合接合するための対応するファスナー１７、１８がそれぞれ取付けられている。
【００１０】
本体１１のケース１１ａ内には、図示していないが、カフ帯１２に空気を送るポンプ、空気を排気する排気手段、カフ帯１２の圧力を検出する圧力センサ（図示１９）、制御回路、電池（図示２０）、測定結果を表示する表示手段、電源スイッチ等の操作部が配置されている。もっとも、これらの手段を血圧計の本体部に備えることは、すでによく知られたことである。カフ帯１２と本体１１とはカフ帯１２内のカーラ１６より突出したフック及びリブを本体１１のケース１１ａに引っかけるか、もしくはビスにて留めて一体としている。
【００１１】
この実施形態血圧計の特徴は、カフ帯１２と本体１１内のエア系の接続機構にある。図２は、図１の実施形態血圧計の本体１１とカフ帯１２とのエア系の接続部の拡大断面図である。カフ帯１２内の空気袋１５より突出したエア接続口２１に、本体１１のケース体１１ａの下面より突出させたノズル状のエア接続口２２をはめるたとにより接続している。ノズル状接続口２２の内側（ケース１ａ内側）に、制御回路等を配置した回路基板２３に装着された圧力センサ１９のステム１９ａが入るように形成されている。圧力センサ１９のステム１９ａとノズル状エア接続口２２の内面との間に、漏気を防ぐためにパッキン、例えばＯリング２４を介在させている。なお、１６ａはカーラ１６をケース１１ａに引っかけるためのフックである。
【００１２】
上記した図２のエア系接続機構により、エア系配管にエアチューブ、ノズル等が不要となり、そのためのスペースも不要となる。これにより、血圧計の小型化が可能となり、携帯性が向上、しかも部品点数が減少することにより、ローコスト化が図れる。また、カフ帯のエア接続口が直接圧力センサに接続されないので、圧力センサに余分な力がかからなくなり、圧力センサの半田付け部が基板から剥がれることがなくなる。したがって、圧力センサの半田付け部分も必要以上に大きくすることもなく、小型化が図れ、信頼性も向上する。
【００１３】
また、図２に示したエア系接続機構の代わりに、図３に示すエア系接続機構を使用してもよい。ここでは、ノズル状エア接続口２２を本体１１のケース１１ａとは別部材で構成しており、本体のケース１１ａとは凹凸の係合部２５で一体に嵌着構成している。この実施形態では、部品点数は図２のものより増えるものの、省スペースによる小型化が図れ、携帯性が向上し、その上、圧力センサの半田付け部が回路基板から剥がれることがなくなり、半田付け部分も必要以上に大きくすることもないから、小型化でき、信頼性も向上する。
【００１４】
【発明の効果】
この発明によれば、カフ帯のエア接続口は本体の下面より突出したノズルと接続され、また、そのノズルは圧力センサのステムが内側に入るよう構成されているので、従来に比し、エアチューブ等が不要となるので、配管スペースが小さくでき、小型化が可能となり、携帯性が向上する。また、部品点数も減少することにより安価になる。しかも圧力センサに直接力がかかることがないことにより、センサ半田付け部が剥がれることがなくなるため、信頼性も向上する。
【図面の簡単な説明】
【図１】この発明の一実施形態血圧計の一部切欠きの外観斜視図である。
【図２】同実施形態血圧計のエア系接続機構を示す拡大断面図である。
【図３】他の実施形態血圧計のエア系接続機構を示す拡大断面図である。
【図４】従来の一体型の血圧計の一部切欠きの外観斜視図である。
【図５】同従来の血圧計のエア系接続機構を示す拡大断面図である。
【図６】従来の他の血圧計のエア系接続機構を示す拡大断面図である。
【符号の説明】
１５    空気袋
１６    カーラ
１９    圧力センサ
１９ａ  ステム
２１    カフ帯のエア接続口
２２    ノズル状エア口
２３    回路基板
２４    Ｏリング
【図１】
0003608364.tif 000002
【図２】
0003608364.tif 000003
【図３】
0003608364.tif 000004
【図４】
0003608364.tif 000005
【図５】
0003608364.tif 000006
【図６】
0003608364.tif 000007